Podtech/llm-jp-corpus-v4-ja_patent huggingface dataset:
(57)【特許請求の範囲】
【請求項１】
ベース布部と、このベース布部と二重の関係になるように必要な段数だけ前記ベース布部の表側に設けられるフリル布部と、前記ベース布部と前記フリル布部の一端を重ね織りにより結合した接結部と、フリル布部の他端の経糸はベース布部の反対側に移行させ、その移行させた最初の経糸に織り込んだ引き下げ緯糸を介して次段接結部に連結することを特徴とするフリル製造用織布。
【請求項２】
ベース布部の表側にあるフリル布部の緯糸のうちフリル布部の他端部の緯糸の１乃至複数本を他の緯糸と色及び/又は太さを変えておくことを特徴とする請求項１記載のフリル製造用織布。
【請求項３】
ベース布部の裏側に移行した経糸の最初に織り込まれる引き下げ緯糸は他の緯糸とは異なる太さ及び/又は色としておくことを特徴とする請求項１記載のフリル製造用織布。
【発明の詳細な説明】
【技術分野】
【０００１】
本発明は、フリル付きスカート・ブラウス等の製造に用いるフリル製造用織布に関する。
【背景技術】
【０００２】
フリル付スカート等の製造においては、第一の方法として、先ずフリル地の端部処理を行いこれをスカート地に縫い付けるか、第二の方法として、スカート地となるベース布部と、このベース布部と二重の関係になるように必要な段数だけ前記ベース布部の表側に設けられるフリル布部と、前記ベース布部と前記フリル布部の一端を重ね織りにより結合した接結部と、経糸のみで作られ前記フリル布部の前記接結部と反対側の先端から前記ベース布部を貫通して前記接結部の一端とを連結するように設けられた連結部とを設けたフリル製造用織布を予め作っておき、このフリル製造用織布を加工して製造する方法が行われている。
【先行技術文献】
【特許文献】
【０００３】
【特許文献１】特許第４５９８８５号
【発明の概要】
【発明が解決しようとする課題】
【０００４】
上記第一の方法（０００２項）では、フリル付きスカートを製造する場合、所望の布地を所望の幅に裁断してフリル布を作り、このフリル布の端部のほつれを防ぐための処理を行ったりして別に作成したスカート地などに順に縫い付けてゆき、フリル付きスカートとして完成させるものであるが、この方法にあっては縫製、裁断加工が多くなる等多くの手数を必要とする。
【０００５】
上記第二の方法（０００２項）としてのフリル付織布の加工にあっては、「連結部」の切断作業が行われるが、この切断作業の後フリル布部側の連結部の切れ端をベース布部の上方に引き抜き、フリル布部の端末加工を施すが、経糸のみで作られた連結部が非常に狭く、その経糸の並びが布部と違って不揃いに且つ垂れ下がったりしてこの切断作業が困難で手間取り、鋏などの切断具によるベース布部への疵が発生しやすいのみならず、切断端末に経糸の切れ端が残って後工程の折畳み・縫製加工などが作業しにくくなるなどの欠点の生ずるおそれがある。
【課題を解決するための手段】
【０００６】
そのため、本発明のフリル製造用織布は、ベース布部と、このベース布部と二重の関係になるように必要な段数だけ前記ベース布部の表側に設けられるフリル布部と、前記ベース布部と前記フリル布部の一端を重ね織りにより結合した接結部と、フリル布部の他端の経糸はベース布部の反対側に移行させ、その移行させた最初の経糸に織り込んだ引き下げ緯糸を介して次段接結部に連結することを特徴とするフリル製造用織布である。
【発明の効果】
【０００７】
このようにした本発明は、ベース布部の上部におけるフリル布部の端部位置を切断して端部位置の緯糸を取除き、ベース布部の反対側から引き下げ緯糸を下方に引き下げるのみで、切断されてベース布部の上側にある経糸はベース布部の下方に引き下げられ、ベース布部の上側にあるフリル布部の端末をほつれ防止加工を施すだけで簡単にきれいなフリルを作ることができるので、接結部から次の接結部までの広いフリル布部を切り、切断端末に経糸の切れ端が残らないため、作業が簡単で熟練を要することなく簡単にきれいなフリル付きスカートやフリル付きブラウス等を低コストで製造することができるという効果が得られる。更に引き下げ緯糸の部分はベース布部或はフリル布部と一体的となっているのでその後の切断、折畳みやほつれ防止加工などがしやすい。
【図面の簡単な説明】
【０００８】
【図１】本発明の要部側面説明図
【図２】本発明の工程を示す要部側面説明図
【図３】本発明の工程を示す要部側面説明図
【図４】本発明の工程を示す要部側面説明図
【図５】本発明の工程を示す要部側面説明図
【発明を実施するための形態】
【０００９】
以下、図面を参照して本発明によるフリル製造用織布の実施例を説明する。
【実施例１】
【００１０】
図１は、本発明の要部側面説明図、図２は第１の工程を示す要部側面説明図、図３は第２の工程を示す要部側面説明図、図４は第３の工程を示す要部側面説明図、図５は完成形を示す要部側面説明図で、図において１はベース布部、２はフリル布部、３は接結部であり、これらはジャカード織機により連続的かつ一体的に織り上げられている。
【００１１】
本発明のフリル製造用織布は、スカート、ブラウス等のベースとなるベース布部１と、このベース布部１と二重の関係になるように必要な段数だけ前記ベース布部１の表側に設けられるフリル布部２と、前記ベース布部１と前記フリル布部２の一端をフリル布部２の経糸４をベース布部１の裏側に移行させた状態で重ね織りにより結合した接結部３と、フリル布部２の他端側の経糸４は、ベース布部１の反対側に移行させ、その移行させた最初の経糸４、４に引き下げ緯糸５’、５’を織り込み、この引き下げ緯糸５、’５’を介して次段接結部３に連結している。
【００１２】
ベース布部１の表側にあるフリル布部２の緯糸６のうちフリル布部２の他端部の緯糸６’を１乃至複数本(図では６本)を他の緯糸６と色及び/又は太さを変えておくことにより切断目安となったり、切断後に取除く捨て糸の目安となり作業がしやすい。
【００１３】
ベース布部１の下方に移行した経糸４、４の最初に織り込まれる引き下げ緯糸５’、５’は他の緯糸５とは異なる太さ及び/又は色としておくことにより容易に目視ができ緯糸５’、５’の引き下げ作業がスピーディにできる。
【００１４】
以下作業手順を説明する。二重織となっているフリル布部２の他端部位置（緯糸６’位置近傍）を切断し、緯糸６‘，６’を図２のように捨て糸として取除く。緯糸６’、６’を取除いた後に図３、図４のように引き下げ緯糸５’、５’を裏側に引き下げることによりベース布部１の上方に出ている経糸４の切れ端４’はベース布部１の下方に引き出され、図５のように完成する。その後ベース布部１の上方に位置するフリル布部２の端末にほつれ止め加工を施す。
【符号の説明】
【００１５】
１：ベース布部
２：フリル布部
３：接結部
４：経糸（フリル布部の）
４’経糸（切れ端）
５：緯糸
５’：引き下げ緯糸
６：緯糸（フリル布部の）
６’：緯糸（捨て糸としての緯糸）
【図１】
0005575193.tif 000002
【図２】
0005575193.tif 000003
【図３】
0005575193.tif 000004
【図４】
0005575193.tif 000005
【図５】
0005575193.tif 000006
(57)【特許請求の範囲】
【請求項１】
家庭用の手動灯油ポンプの空気入れのネジキャップを無くした以外は同じ構造のポンプ▲１▼に、排水ホース▲６▼と、釣鐘を長軸に対向するように押しつぶしたような形で水平方向の断面が細長い楕円形をした吸水口カップ▲３▼を設けたものであって、かつ、その吸水口カップ▲３▼は、中央に適当な長さの吸入管▲２▼であってその先端が吸水口カップ▲３▼の吸水口▲７▼の近くになるように設け、最上部付近に数個の開放穴▲４▼を設け、吸水口▲７▼は先端部の両長軸側を斜めに浅くカットしてなる、湯水の中のゴミを排出するゴミ取り器具。
【発明の詳細な説明】
【発明の詳細な説明】
【技術分野】
【０００１】  この発明は、浴槽の湯水の中の体毛や垢等のゴミを除去する為に、湯水と共に浴槽の外に排出してゴミを除去する器具に関するものである。
【背景技術】
【０００２】  従来、入浴する人に不潔感を与えない為に、浴槽の湯水の中の浮いていたり沈んでいたり漂っている体毛や垢等のゴミを除去する方法は、家庭用灯油ポンプを使って、湯水と共に、底に沈んでいる垢や泥等を浴槽外に排出して取っているが、吸込み口が小さいし、水流が起こってゴミが浮遊してしまい時間が掛かっていた。
【発明が解決しようとする課題】
【０００３】  これは、次のような欠点があった。
（イ）家庭用灯油ポンプを使って、底に沈んでいたり漂っている垢や泥等を取る為に、湯水と共に排出する時、吸込み口が小さくて時間が掛かるし、吸込み口を移動させる時に、水の流れが起こり、ゴミが浮遊拡散して取りにくかった。
（ロ）ゴミが取れない時は、湯を入替えなければならず、湯水の入替え時間や、お湯を沸かすエネルギーや、湯水がもったいなかった。
本発明は、これらの欠点を解決する為になされたものである。
【課題を解決するための手段】
【０００４】  家庭用の灯油ポンプの空気入れのネジキャップ部の構造部を無くしたポンプ▲１▼に、適当な長さの吸入管▲２▼と適当な長さにした排水ホース▲６▼を設けて、ポンプ▲１▼の吸入管▲２▼には、釣鐘を押しつぶしたような扁平な断面をした適当な大きさの吸水口カップ▲３▼を設ける。
本発明は、以上の構成よりなる浴槽の湯水の中のゴミを、サイフォンの原理を使って、湯水と共に吸込んで排出させる器具である。
【発明を実施するための形態】
【０００５】以下、本発明の実施の形態について説明する。
（イ）家庭用の灯油ポンプの空気入れのネジキャップ部を無くした以外は同じ構造をした適当な大きさのポンプ▲１▼（以下  ポンプ▲１▼とする）に、適当な長さの吸入管▲２▼と適当な長さの排水ホース▲６▼を設けて、ポンプ▲１▼の吸入管▲２▼に釣鐘を押しつぶしたような扁平な断面をした適当な大きさの吸水口カップ▲３▼を設ける。
（ロ）吸水口カップ▲３▼の中の吸入管▲２▼の先端は、吸水口カップ▲３▼の先端に近い適当な位置まで差し込んだ形で設ける。
（ハ）吸水口カップ▲３▼の上部に、適当な大きさの穴▲４▼▲４▼▲４▼▲４▼を設ける。
（ニ）吸水口カップ▲３▼の先端部のゴミ等の吸込み口▲７▼は、扁平な幅広の両側を側面から見て斜めにカットした形にする。
（ホ）排水ホース▲６▼は、先端が浴槽の壁▲８▼を越して湯水の表面の高さより低い位置になるような適当な長さに設ける。
本発明は、以上のような構成で、これを使用する時は、先ず、湯水の上層部に吸水口カップ▲３▼を入れる。その時、吸水口カップ▲３▼の中の空気や湯水は穴▲４▼▲４▼▲４▼▲４▼から出る。次に、ポンプ▲１▼を作動させて排水ホースから湯水が流れ出したら作動を止めて、吸水口カップ▲３▼を浴槽の底に沈んでいるゴミや漂っているゴミの上に静かに下ろす。すると、吸水口カップ▲３▼の先端が幅が広くて扁平な長楕円形なので、広い範囲のゴミを集めて吸込める。そして、吸水口カップ▲３▼の先端のカット部から入ってきたゴミと湯水は、近い距離に設けてある吸入管▲２▼の先端に集まって来て引き込まれて排出できる。次に、近くのゴミのある場所に吸水口カップ▲３▼を立てたまま、或いは、吸水口カップ▲３▼を斜めにして先端の幅広カット部を底に当てながら、ゆっくりと底に沿って移動させてゴミを排出する。又、湯水の表面に浮いているゴミは、吸水口カップ▲３▼の中の吸入管▲２▼の先端を湯水の表面上に出さないようにして吸水口カップ▲３▼に取り込み、又、中層に浮遊しているゴミも同様に吸水口カップ▲３▼に取り込んで湯水と共に排出させる。
【発明の効果】
【０００６】  湯水と共にゴミを吸入して排出する方式で、吸込み口▲７▼が幅広で薄く、カップの上部に穴▲４▼▲４▼▲４▼▲４▼を設けてある為に、水流の乱れも少なく出来て、ゴミの拡散も少なくて一度に広範囲のゴミを吸込めるので、従来よりも短時間で、底に沈んでいる体毛や漂っている細かい垢や泥等のゴミや、中層や表面に浮いているゴミも排出する事が出来る。それにより、気持ち良く入浴出来る。また、湯水の汚れを少なく出来るので、湯水の交換回数も減らせて、湯水を交換する為の時間と熱エネルギーと湯水の消費量を減らす事も出来る。
【図面の簡単な説明】
【０００７】
【図１】本発明の斜視図
【図２】本発明の吸水口カップの正面断面図
【図３】本発明の吸水口カップの側面断面図
【図４】本発明の湯水の底のゴミを取っている側面図
【図５】本発明の湯水の表面のゴミを取っている側面図
【図６】本発明の使用状態を示す斜視図
【符号の説明】
【０００８】１  ポンプ
２  吸入管
３  吸水口カップ
４  小穴
５  排出管
６  排水ホース
７  吸込み口
８  浴槽の壁
【図１】
0005397808.tif 000002
【図２】
0005397808.tif 000003
【図３】
0005397808.tif 000004
【図４】
0005397808.tif 000005
【図５】
0005397808.tif 000006
【図６】
0005397808.tif 000007
(57)【特許請求の範囲】
【請求項１】
以下の一般式に示す化合物１と塩化銅CuCl2を反応させ化合物３を、あるいは、以下の一般式に示す化合物２と塩化銅CuCl2を反応させ化合物４を合成することを特徴とする、光学活性リン化合物の製造法。
一般式
【化１】
0005397907.tif 000004
（式中のR1とR2は、同じでも異なってもよい炭化水素置換基である；リン原子上の絶対配置はR又はSである）
【発明の詳細な説明】
【技術分野】
【０００１】
本発明は、光学活性リンハライド化合物の製造法に関するものである。
【背景技術】
【０００２】
光学活性なリン化合物は、不斉触媒の配位子として又は医薬品合成中間体として有用である。これらの化合物は、光学活性なリンハライド化合物を用いて合成可能であるが、これまで、光学純度の高い光学活性リンハライド化合物の合成法が開発されてこなかった。
【０００３】
すなわち、これまで比較的純度の高い光学活性なものとしては、(MeO)(EtO)P(O)Cl, t-BuPhP(O)Br, (Me2N)(MeO)P(O)Clなど１０数個しか合成されておらず、これらの化合物の一般的な合成手法は、開発されていない。また、上記化合物の合成にいずれも、塩素やSO2Cl2, NCSなど毒性の高い試薬を用いなければならない（非特許文献１〜６）。
【０００４】
したがって、より環境負荷の少なく、一般的な合成法の開発が望まれる。
【先行技術文献】
【非特許文献】
【０００５】
【非特許文献１】Tetraherdon Letters, 1982, 999
【非特許文献２】Tetraherdon Letters, 2001, 453
【非特許文献３】J. Chem. Soc. 1979, 1104
【非特許文献４】J. Chem. Soc. 1979, 1646
【非特許文献５】J. Chem. Soc. Perkin Trans. 1, 1991, 229
【非特許文献６】J. Chem. Soc. Perkin Trans. 1, 1977, 1969
【発明の開示】
【発明が解決しようとする課題】
【０００６】
本発明は、容易に入手可能であり、取り扱い易い原料を用いる、種々の光学活性なリンハライド類の一般的な合成法を提供することを目的としてなされたものである。
【課題を解決するための手段】
【０００７】
本発明者らは、これまで光学活性なリン水素化合物の一般的な製造法を開発してきた。これらの化合物の変換法を研究する過程で、光学活性なリン水素化合物と塩化銅をもちいれば、効率よく光学活性リンハライド類が得られることを発見し、この知見に基づいて本発明をなすに至った。
【０００８】
すなわち、本発明は、以下の一般式に示す化合物１と塩化銅CuCl2を反応させ化合物３を、あるいは、以下の一般式に示す化合物２と塩化銅CuCl2を反応させ化合物４を合成することを特徴とする、光学活性リン化合物の製造法に関するものである。
【０００９】
一般式
【化１】
0005397907.tif 000002
（式中のR1とR2は、同じでも異なってもよい炭化水素置換基である；リン原子上の絶対配置はR又はSである）
【００１０】
上記反応は化合物１（又は化合物２）を適当な有機溶媒に展開される塩化銅CuCl2に加えて行う。溶媒はヘキサンなどのパラフィン溶媒、クロロホルムなどのハロゲン系溶媒、さらにエーテルやTHFなどのエーテル系溶媒がいずれも使用可能である。また反応温度は、−５０℃から１５０℃までの間の温度で行える。化合物１（化合物２）と塩化銅のモル比は、１０〜０．１の間の任意の数値でよい。化合物の単離は、蒸留、再結晶又はクロマトグラフィー法により容易に行える。
【発明の効果】
【００１１】
本発明により、塩素やSO2Cl2, NCSなど毒性の高い試薬を用いることなく、容易に入手可能であり、取り扱い易い原料を用いて、種々の光学活性なリンハライド類を合成することができる。
【図面の簡単な説明】
【００１２】
【図１】実施例３で得られた化合物のX-線結晶解析  ORTEP図
【発明を実施するための形態】
【実施例】
【００１３】
次に実施例により本発明を実施するための最良の形態を説明するが、本発明はこれにより何ら限定されるものではない。
【００１４】
実施例１．
光学活性な(-)メンチルフェニルホスフィナート（リン上の絶対立体配置はR）（１mmol）を窒素雰囲気下乾燥したTHF（５ｍL）に溶かした無水塩化銅CuCl2（２mmol）に０℃で加えた後、室温で１時間攪拌した。乾燥雰囲気下で濾過し、溶媒を除去したところ、光学活性な(-)MenO(Ph)P(O)Cl(リン上の絶対立体は保持)が９８％の収率で得られた。
【００１５】
実施例２．および３．
実施例１と同様な操作で、以下の表１に示す原料をもちいて、実施例２と３を行った。
【００１６】
実施例１〜３の結果を、以下の表１に示す。
【表１】
0005397907.tif 000003
【００１７】
生成物の絶対立体配置の確認
実施例３で得られた化合物のX-線結晶解析をおこない、絶対立体配置を決定した。化合物の立体配置図（ORTEP図）を図１に示す。
【図１】
0005397907.tif 000005
(57)【特許請求の範囲】
【請求項１】
垂直の平行する一対の側板を有するＵ字形受部と、同受部と一体の壁面等への取付けるための背板から成るパイプ保持具であって、前記受部の少なくとも一方の側板に、パイプ載置後にゴム、合成樹脂から成る係止具を差し入れて装着することができる切り欠き部を形成したことを特徴とするパイプ保持具。
【発明の詳細な説明】
【技術分野】
【０００１】  本発明は、主として衣服の吊り下げ用パイプの保持具に関するものである。
【発明の開示】
【発明が解決しようとする課題】
【０００２】  一般に、洋服ダンス等で使用される衣服用ハンガーの吊下パイプの保持具の最も簡単な構造といえば、Ｕ字形のパイプ受をネジ等でタンス側壁内面に取り付けて使用するものであったが、これは単にパイプを載せるだけのものであったため、パイプに下からの力が働くと外れ易いという危険性があった。【０００３】  そのため、パイプの外れを防止するパイプ保持具として図５に記載される構造のものが考えられたが、この保持具ＡはＵ字形受部ａの両側片ａ−１にそれぞれ溝ａ−２を形成し、この溝に蓋板Ｂの両端を嵌めてパイプＰの外れを防止するようにしたもので、側片ａ−１の高さは溝ａ−２を形成する都合上、パイプＰの直径よりも大きくする必要があり、材料費がその分多くなるだけでなく、蓋板Ｂにパイプのガタ付きを防止するためのバネ片ｂを形成する必要があって製造費が高価となるだけでなく、パイプを保持具Ａに載せた後抜け止めのための蓋板Ｂを溝ａ−２に差し入れる作業を要して面倒であるという問題点があった。【０００４】  本発明は、上記問題点を解決するために、ゴム、合成樹脂等から成る係止具を保持具の受部の側板に形成された切り欠溝に差し込むだけでパイプの抜け止めが施される安価にして構造簡単なパイプ保持具を提供するものである。
【課題を解決するための手段】
【０００５】  本発明のパイプ保持具は、垂直の平行する一対の側板を有するＵ字形受部と、同受部と一体の壁面等への取付けるための背板から成るパイプ保持具であって、前記受部の少なくとも一方の側板に、パイプ載置後にゴム、合成樹脂から成る係止具を差し入れて装着することができる切り欠き部を形成したことを特徴とするものである。
【発明の作用】
【０００６】  本発明のパイプ保持具では、パイプの外れを防止するものとしてゴム、合成樹脂から成る係止具を受部の少なくとも一方の側板に切り欠き部を利用して装着することができるようにしているので、パイプを載置した後に切り欠き部に差し入れるだけで簡単に係止具を装着でき、下方からの力では簡単に外れず、安全に使用することができる。
【実施例】
【０００７】  図１は、本発明保持具の斜視図、図２は、同保持具の正面図、図３は、同保持具によるパイプの保持状態を表す斜視図、図４は、同保持状態の拡大断面図である。【０００８】  図１、２において、１は、垂直の平行する一対の側板１−１ａ、１−１ａを有するＵ字形受部１−１と、同受部と一体の壁面等への取付けるための背板１−２とから構成される金属製の保持具であって、１−２ａは壁面等にネジ止めするためのネジ挿通孔である。【０００９】  ２は、Ｕ字形受部１−１の少なくとも一方の側板１−１ａに形成された切り欠き部であって、パイプの抜け止め作用をする係止具３を差し入れることができるようになっている。【００１０】  前記係止具３は、ゴム、軟質または硬質の合成樹脂で成形され、着色したり形状を整えて装飾性にも優れるものとしてもよい。
【発明の効果】
【００１１】  以上述べたように、本発明のパイプ保持具によれば、垂直の平行する一対の側板を有するＵ字形受部と、同受部と一体の壁面等への取付けるための背板から成るパイプ保持具であって、前記受部の少なくとも一方の側板に、ゴム、合成樹脂から成る係止具を差し入れて装着することができる切り欠き部を形成したことを特徴とするものであるから、
▲１▼パイプの抜け止め作用をする係止具を横方向から切り欠き部の端部から差し入れるだけで簡単に装着することができる。
▲２▼Ｕ字形受部の側板に切り欠部を形成するだけでよいので、安価に製造することができ、従来からあるＵ字形のパイプ受に切り欠き部を形成するだけで本発明品に改良することができる。
▲３▼パイプの抜け止め作用をする係止具はパイプの一部を係止するだけで十分であるので、切り欠きはＵ字形受部の少なくとも一方の側板に形成しておけばよいが、壁面の左右に一対の保持具を取り付けて使用する場合は、対称性の面から切り欠き部はＵ字形受部の両側板に形成しておき、パイプの両端に係止具が左右対称的に見えるように切り欠き部を選択して使用することもできる。
等の効果奏し得るものである。
【図面の簡単な説明】
【００１２】
【図１】  本発明保持具の斜視図である。
【図２】  同保持具の正面図である。
【図３】  同保持具によるパイプの保持状態を表す斜視図である。
【図４】  同保持状態の拡大断面図である。
【図５】  従来の保持具によるパイプの保持状態を表す斜視図である。
【符号の説明】
【００１３】１      保持具
２      切り欠溝
３      係止具
【図１】
0005601624.tif 000002
【図２】
0005601624.tif 000003
【図３】
0005601624.tif 000004
【図４】
0005601624.tif 000005
【図５】
0005601624.tif 000006